(57)【要約】【課題】次のコンテンツの時間内で視聴可能なコンテンツ一覧を表示することにより、装置内に蓄積されているコンテンツの視聴の機会を増やす。【解決手段】本発明のコンテンツ蓄積再生装置１００は、コンテンツを取得する取得部および視聴中のコンテンツの次のコンテンツの放送時間を算出する算出部（アンテナ１１０，１３０、放送受信部１２０、通信部１４０、制御部１８０）と、該取得部により取得したコンテンツを記憶する記憶部１７０と、再生可能なコンテンツの一覧を表示する表示部１６０と、前記算出部により算出した放送時間が予め設定した設定時間以下であり、かつ、当該放送時間内で再生可能なコンテンツが記憶部１７０に記憶されている場合、前記視聴中のコンテンツの終了後に、当該再生可能なコンテンツの一覧を表示部１６０に表示するように制御する制御部１８０とを備える。【選択図】図１
2010130195.tif 000002
【特許請求の範囲】
【請求項１】
コンテンツを取得する取得部と、
該取得部により取得したコンテンツを記憶する記憶部と、
視聴中のコンテンツの次のコンテンツの放送時間を算出する算出部と、
再生可能なコンテンツの一覧を表示する表示部と、
前記算出部により算出した放送時間が予め設定した設定時間以下であり、かつ、当該放送時間内で再生可能なコンテンツが前記記憶部に記憶されている場合、前記視聴中のコンテンツの終了後に、当該再生可能なコンテンツの一覧を前記表示部に表示するように制御する制御部と、を備えることを特徴とするコンテンツ蓄積再生装置。
【請求項２】
前記記憶部に記憶したコンテンツに優先度を設定する設定部を備え、前記視聴中のコンテンツの終了後に、最上位の優先度を設定されたコンテンツを自動的に再生するようにしたことを特徴とする請求項１記載のコンテンツ蓄積再生装置。
【請求項３】
コンテンツを取得する取得ステップと、
該取得ステップにより取得したコンテンツを記憶する記憶ステップと、
視聴中のコンテンツの次のコンテンツの放送時間を算出する算出ステップと、
再生可能なコンテンツの一覧を表示する表示ステップと、
前記算出ステップにより算出した放送時間が予め設定した設定時間以下であり、かつ、当該放送時間内で再生可能なコンテンツが前記記憶ステップにより記憶されている場合、前記視聴中のコンテンツの終了後に、当該再生可能なコンテンツの一覧を前記表示ステップにより表示するように制御する制御ステップと、を行うことを特徴とするコンテンツ蓄積再生方法。
【発明の詳細な説明】
【技術分野】
【０００１】
本発明は、配信サービス等により取得したコンテンツを装置内に蓄積して視聴するコンテンツ蓄積再生装置およびコンテンツ蓄積再生方法に関するものである。
【背景技術】
【０００２】
最近の携帯電話機（端末）の中には、ＩＳＤＢ−Ｔ受信端末のように、リアルタイム放送の視聴、番組表の受信および予約録画が可能であり、端末内にコンテンツを蓄積して再生することができるものや、ＭｅｄｉａＦＬＯ受信端末のように、リアルタイム放送の視聴、番組表の受信、予約録画、クリップキャストの保存、携帯電話の機能を用いた配信サービスによるコンテンツ受信が可能であり、端末内にコンテンツを蓄積して再生することができるものがある。
このような端末においては、予約録画したコンテンツや、配信サービスで受信したコンテンツや、蓄積型のクリップキャストのコンテンツ等は端末内に蓄積され続けるため、それらの蓄積されたコンテンツを視聴するか否かは、端末のユーザが決定することになる。
【０００３】
また、従来、予めコンテンツを配信する時刻をサーバに登録しておき、ユーザが希望するときに配信してもらい、配信時に視聴することによって、端末内に蓄積されるコンテンツの容量を抑制する技術（例えば特許文献１参照）が提案されている。
【特許文献１】特開２００３−２３０１２１号公報
【発明の開示】
【発明が解決しようとする課題】
【０００４】
上述したような端末では、ユーザが蓄積されているコンテンツを意識的に視聴するように習慣付けていないと、端末内に視聴していないコンテンツが蓄積され続けてしまう。
また、上述したような端末では、端末内に蓄積されたコンテンツを視聴する際に、リアルタイムで視聴したいコンテンツがある場合には、そのコンテンツの視聴開始時刻（放送開始時刻）と現在時刻との間の時間（空き時間）をユーザ自身が考慮して、その空き時間内に視聴が完了するようなコンテンツを選択する必要がある。
なお、特許文献１記載の技術は、端末内に蓄積されるコンテンツの容量を抑制するものであり、端末内に蓄積されているコンテンツを積極的にユーザに視聴させるものではない。
【０００５】
本発明は、次のコンテンツの時間内で視聴可能なコンテンツ一覧を表示することにより、装置内に蓄積されているコンテンツの視聴の機会を増やすようにしたコンテンツ蓄積再生装置を提供することを目的とする。
【課題を解決するための手段】
【０００６】
上記目的を達成するため、本発明の請求項１に係るコンテンツ蓄積再生装置は、コンテンツを取得する取得部と、該取得部により取得したコンテンツを記憶する記憶部と、視聴中のコンテンツの次のコンテンツの放送時間を算出する算出部と、再生可能なコンテンツの一覧を表示する表示部と、前記算出部により算出した放送時間が予め設定した設定時間以下であり、かつ、当該放送時間内で再生可能なコンテンツが前記記憶部に記憶されている場合、前記視聴中のコンテンツの終了後に、当該再生可能なコンテンツの一覧を前記表示部に表示するように制御する制御部と、を備えることを特徴とする。
【０００７】
本発明の請求項２に係るコンテンツ蓄積再生装置は、前記記憶部に記憶したコンテンツに優先度を設定する設定部を備え、前記視聴中のコンテンツの終了後に、最上位の優先度を設定されたコンテンツを自動的に再生するようにしたことを特徴とする。
【０００８】
本発明の請求項３に係るコンテンツ蓄積再生方法は、コンテンツを取得する取得ステップと、該取得ステップにより取得したコンテンツを記憶する記憶ステップと、視聴中のコンテンツの次のコンテンツの放送時間を算出する算出ステップと、再生可能なコンテンツの一覧を表示する表示ステップと、前記算出ステップにより算出した放送時間が予め設定した設定時間以下であり、かつ、当該放送時間内で再生可能なコンテンツが前記記憶ステップにより記憶されている場合、前記視聴中のコンテンツの終了後に、当該再生可能なコンテンツの一覧を前記表示ステップにより表示するように制御する制御ステップと、を行うことを特徴とする。
【発明の効果】
【０００９】
本発明によれば、次のコンテンツの時間内で視聴可能なコンテンツ一覧を表示を利用することにより、装置内に蓄積されているコンテンツの視聴の機会を増やすようにしたコンテンツ蓄積再生装置を提供することができる。
【発明を実施するための最良の形態】
【００１０】
以下、本発明を実施するための最良の形態を図面に基づき詳細に説明する。
図１は本発明の一実施形態に係るコンテンツ蓄積再生装置の構成を示すブロック図である。本発明のコンテンツ蓄積再生装置１００は、図１に示すように、アンテナ１１０と、放送受信部１２０と、アンテナ１３０と、通信部１４０と、入力部１５０と、表示部１６０と、記憶部１７０と、制御部１８０とを備える。なお、放送受信部１２０および通信部１４０は、何れか一方を省略してもよい。
【００１１】
本発明のコンテンツ蓄積再生装置１００としては、（１）ＩＳＤＢ−Ｔ受信端末のように、リアルタイム放送の視聴、番組表の受信および予約録画が可能であり、端末内にコンテンツを蓄積して再生することができるもの、（２）上記（１）の機能を内蔵し、携帯電話の機能を用いて配信サービスによるコンテンツ受信が可能なもの、（３）ＭｅｄｉａＦＬＯ受信端末のように、リアルタイム放送の視聴、番組表の受信、予約録画、クリップキャストの保存、携帯電話の機能を使った配信サービスによるコンテンツ受信が可能であり、端末内にコンテンツを蓄積して再生することができるもの、を用いることができる。
【００１２】
放送受信部１２０は、アンテナ１１０経由でリアルタイム放送の視聴や番組表の受信やコンテンツ（番組）の予約録画等を行う。放送受信部１２０としては、ＩＳＤＢ−Ｔ放送、ＭｅｄｉａＦＬＯ放送の少なくとも一方を受信可能なものを用いる。
通信部１４０は、アンテナ１３０経由で配信サーバ（図示せず）から配信サービスによるコンテンツ受信等を行う。
入力部１５０は、ユーザ操作に応じて各種データを入力する。
表示部１６０は、後述する「コンテンツ一覧」を含む各種情報を表示する。
記憶部１７０は、取得したコンテンツを含む各種情報やプログラム等を記憶する。なお、記憶部１７０に蓄積したコンテンツ（以下、保存コンテンツともいう）には、再生優先度を設定することができる。優先度は、コンテンツ毎の個別設定や、所望のジャンル（ニュース、天気予報等）の一括設定が可能である。
制御部１８０は、放送受信部１２０、通信部１４０、入力部１５０、表示部１６０および記憶部１７０の制御を行う。
【００１３】
上記において、アンテナ１１０、放送受信部１２０および制御部１８０、ならびに、アンテナ１３０、通信部１４０および制御部１８０は、コンテンツを取得する取得部に対応するとともに、視聴中のコンテンツの次のコンテンツの放送時間を算出する算出部に対応する。また、制御部１８０は、前記算出部により算出した放送時間が予め設定した設定時間以下であり、かつ、当該放送時間内で再生可能なコンテンツが記憶部１７０に記憶されている場合、前記視聴中のコンテンツの終了後に、当該再生可能なコンテンツの一覧を表示部１６０に表示するように制御する機能を有している。さらに、制御部１８０は、記憶部１７０に記憶したコンテンツに優先度を設定する設定部の機能と、前記視聴中のコンテンツの終了後に、最上位の優先度を設定されたコンテンツを自動的に再生する機能とを有している。
【００１４】
［視聴中のコンテンツの放送終了後のコンテンツ一覧表示］
図２は本発明のコンテンツ蓄積再生装置において、視聴中のコンテンツの放送が終了した後のコンテンツ一覧表示処理を示すフローチャートである。このフローチャートは、ユーザがコンテンツ蓄積再生装置においてテレビアプリケーションを起動して視聴していた図３（ａ），図４（ａ）に示すようなコンテンツ（この場合、１９：００−２０：５４のドキュメンタリーであり、４ｃｈの番組表を含んでいる）の放送の終了時（２０：５４）に開始される。なお、事前に、図３（ｂ）の設定内容例Ａのように「コンテンツ（番組）の放送時間が指定時間（例えば１０分）以下のとき、下記の保存コンテンツを視聴する」という視聴設定を行って所望のコンテンツを選択した後に「はい」を選択するか、あるいは、図４（ｂ）の設定内容例Ｂのような「コンテンツ（番組）の放送時間が指定時間（例えば１０分）以下のとき、下記の保存コンテンツを視聴する」という視聴設定を行って所望の保存コンテンツのジャンル（図示例の場合、同一ジャンル）を選択した後に「はい」を選択するものとする。
【００１５】
まず、図２のステップＳ１０１において、視聴中のコンテンツ（番組）の次のコンテンツ（番組）の放送時間が指定時間以下（図３（ｂ）の設定内容例Ａ，図４（ｂ）の設定内容例Ｂの場合、１０分以下）であるか否かを判定し、次のコンテンツ（番組）の放送時間が指定時間以下である場合にはステップＳ１０２に進み、次のコンテンツ（番組）の放送時間が指定時間を超える場合にはステップＳ１０６に進んで視聴チャンネル（４ｃｈ）を表示する。ステップＳ１０２では、次のコンテンツ（番組）の放送時間以下（この場合、６分以下）で視聴（再生）可能な保存コンテンツの一覧を表示部１６０に表示する。なお、次のコンテンツ（番組）の放送時間以下で視聴（再生）可能な保存コンテンツが記憶部１７０に記憶されていない場合には、保存コンテンツの一覧を表示しない。
【００１６】
図３（ｂ）の設定内容例Ａの視聴設定がなされている場合、ステップＳ１０２では、図３（ｃ）に示すような、ステップＳ１０１の条件に該当する保存コンテンツの一覧を表示する。図３（ｃ）の保存コンテンツ一覧には、再生時間５分の「全国のニュース」および「全国の天気」と、再生時間３分の「神奈川ニュース」、「横浜の天気」、「渋滞情報」、「本日の料理」および「占い」が、「次の番組の開始までの残り時間を知らせるバー」とともに表示される。一方、図４（ｂ）の設定内容例Ｂの視聴設定がなされている場合、ステップＳ１０２では、図４（ｃ）に示すような、ステップＳ１０１の条件に該当する保存コンテンツの一覧を表示する。図４（ｃ）の保存コンテンツ一覧には、再生時間５分の「全国のニュース」と、再生時間３分の「神奈川ニュース」、「横浜の天気」および「渋滞情報」が、「次の番組の開始までの残り時間を知らせるバー」とともに表示される。
【００１７】
上記ステップＳ１０２の保存コンテンツ一覧の表示は、ユーザにより一覧の中の何れか１つの保存コンテンツが選択されてステップＳ１０３がＹＥＳになるまで繰り返される。したがって、図３（ｃ），図４（ｃ）の保存コンテンツ一覧を表示している状態でコンテンツを選択せずに例えば２分が経過すると、図３（ｄ），図４（ｄ）に示す保存コンテンツ一覧に更新表示される。図３（ｄ）の保存コンテンツ一覧には、再生時間３分の「神奈川ニュース」、「横浜の天気」、「渋滞情報」、「本日の料理」および「占い」と、再生時間３分未満の「ランキング」および「占い  天秤座」が、「次の番組の開始までの残り時間を知らせるバー」とともに表示される。一方、図４（ｄ）の保存コンテンツ一覧には、再生時間３分の「神奈川ニュース」、「横浜の天気」および「渋滞情報」が、「次の番組の開始までの残り時間を知らせるバー」とともに表示される。
【００１８】
何れか１つの保存コンテンツが選択されてステップＳ１０３がＹＥＳになったときにはステップＳ１０４に進む。ステップＳ１０４では、ユーザにより選択された保存コンテンツを再生する。このステップＳ１０４の保存コンテンツの再生が終了したときに進むステップＳ１０５では、残り時間（ステップＳ１０３で選択した保存コンテンツの再生終了時刻から次のコンテンツ（番組）の視聴開始時刻までの時間）で再生可能なコンテンツ（番組）の有無を判断し、残り時間で再生可能な保存コンテンツがある場合にはステップＳ１０２以降のループを繰り返し、残り時間で再生可能な保存コンテンツがなくなった場合にはステップＳ１０６に進んで視聴チャンネル（４ｃｈ）を表示する。
【００１９】
なお、上記ステップＳ１０２の保存コンテンツ一覧に含まれる保存コンテンツが１つだけの場合や、予め保存コンテンツに再生優先度が設定されている場合や、保存コンテンツの中に別途契約した有料コンテンツが含まれている場合には、ステップＳ１０３においてユーザがコンテンツの選択を行うことなく、該当する保存コンテンツ（１つだけの保存コンテンツ、優先度が設定された保存コンテンツ、有料コンテンツ）を自動的に再生するようにするものとする。図５（ａ）の設定例１は保存コンテンツに再生優先度が設定されている例を示しており、優先度が設定されている「神奈川県の天気（図中に斜線を付けてある）」は、保存コンテンツ一覧の最上位に位置しているため、図３（ｃ）に示す「全国の天気」の放送時間枠で、「全国の天気」に差し替えて、自動的に再生される。なお、優先度が設定された保存コンテンツが複数存在する場合は、最上位の優先度が設定された保存コンテンツが自動的に再生される。また、図５（ｂ）の設定例２は保存コンテンツの中に別途契約した有料コンテンツが含まれている例を示しており、「有料コンテンツ（図中に斜線を付けてある）」は、保存コンテンツ一覧の最上位に位置しているため、自動的に再生される。
【００２０】
本発明のコンテンツ蓄積再生装置によれば、図２の視聴中のコンテンツの放送終了後のコンテンツ一覧表示を行うことにより、現在放送中（視聴中）のコンテンツ（番組）の終了のタイミングで、次のコンテンツ（番組）が放送時間が指定時間以下の短いコンテンツ（番組）である場合には、当該放送時間内で視聴可能な保存コンテンツの一覧を表示するので、コンテンツ蓄積再生装置内に蓄積されたコンテンツの視聴の機会が増え、装置内に蓄積されている保存コンテンツを効率的に視聴することができるようになる。
【図面の簡単な説明】
【００２１】
【図１】本発明の一実施形態に係るコンテンツ蓄積再生装置の構成を示すブロック図である。
【図２】本発明のコンテンツ蓄積再生装置において、視聴中のコンテンツの放送が終了した後のコンテンツ一覧表示処理を示すフローチャートである。
【図３】（ａ）〜（ｄ）は図２のコンテンツ一覧表示処理の動作の一例を説明するための図である。
【図４】（ａ）〜（ｄ）は図２のコンテンツ一覧表示処理の動作の他の例を説明するための図である。
【図５】（ａ）は保存コンテンツ再生の優先度が設定されている例を示す図であり、（ｂ）は保存コンテンツの中に別途契約した有料コンテンツが含まれている例を示す図である。
【符号の説明】
【００２２】
１００  コンテンツ蓄積再生装置
１１０，１３０  アンテナ
１２０  放送受信部
１４０  通信部
１５０  入力部
１６０  表示部
１７０  記憶部
１８０  制御部
【図１】
2010130195.tif 000003
【図２】
2010130195.tif 000004
【図３】
2010130195.tif 000005
【図４】
2010130195.tif 000006
【図５】
2010130195.tif 000007